(57)【要約】【課題】多数の商品への取付け作業が容易であり、キャンペーンの告知力を大きくすることができるとともに、いたずらによる「くじ」の判別を防止することが可能なキャンペーンラベルを提供する。【解決手段】商品としてのマルチパックに取り付けるキャンペーンラベル１０である。このキャンペーンラベルは、くじ情報１８を表示したラベル本体１２と、このラベル本体に剥離可能に接着し、前記くじ情報を覆いながら重合する重合シート１４と、ラベル本体に連結している接着シート部１６とを備えている。ここで、ラベル本体の裏面（くじ情報を表示している面の裏側）は、キャンペーン内容を表示した告知面となっている。このキャンペーンラベルの接着シート部をマルチパックの所定位置に接着すると、前記告知面が表面となり、重合シートが裏面側に位置する。【選択図】        図４
2004287037.tif 000002
【特許請求の範囲】
【請求項１】
店頭に陳列した商品に取り付けるキャンペーンラベルであって、一方の面をキャンペーン内容を表示した告知面とし、前記一方の面に対して裏側である他方の面にくじ情報を表示したラベル本体と、前記他方の面に剥離可能に接着しながら前記くじ情報を覆っている重合シートと、この重合シートの剥離が容易となるように前記ラベル本体と前記重合シートの接着部分の縁部に設けた剥離開始部と、粘着剤層上に剥離紙を積層した状態で前記ラベル本体と連結している接着シート部とを備えており、前記剥離紙を取り除き、前記粘着剤層を介して前記接着シート部を前記商品の特定位置に接着することで、前記告知面を表面とし、前記剥離開始部を裏面側に位置させて前記ラベル本体を前記商品に一体化することを特徴とするキャンペーンラベル。
【請求項２】
前記接着シート部は、前記ラベル本体との境にミシン目等のカットラインを設けて切り取り可能に連結しており、前記重合シートは、前記ラベル本体と一体の部材であって該ラベル本体の縁部から折り返されて前記他方の面に接着されているとともに、折り返しを戻した前記重合シートと前記ラベル本体との外径寸法は、葉書の外径寸法であり、当該重合シート及びラベル本体からなる葉書を、前記くじ情報の結果により応募資格があるときの応募葉書とすることを特徴とする請求項１記載のキャンペーンラベル。
【請求項３】
前記接着シート部及び前記重合シートは、前記ラベル本体との境にミシン目等のカットラインを設けて切り取り可能に連結しているとともに、前記ラベル本体の外径寸法は、葉書の外径寸法であり、当該ラベル本体を、前記くじ情報の結果により応募資格があるときの応募葉書とすることを特徴とする請求項１記載のキャンペーンラベル。
【請求項４】
前記ラベル本体を配置した前記商品の特定位置に、前記ラベル本体と略同一形状であって当該ラベル本体に覆われたサブラベルを接着しておき、このサブラベルの表面をキャンペーン内容を表示したサブの告知面としたことを特徴とする請求項１乃至３の何れかに記載のキャンペーンラベル。
【発明の詳細な説明】
【０００１】
【発明の属する技術分野】
本発明は、例えば、アルコール飲料や清涼飲料水等の飲料を充填した缶，瓶等の容器の複数をまとめて包装したマルチパック等の商品に取り付けるキャンペーンラベルに関する。
【０００２】
【従来の技術】
従来より、ビールやジュース等の飲料を充填した容器、すなわち飲料缶や飲料瓶は、消費者がまとめ買いをしやすいように、２〜６個程度をまとめて包装したマルチパックとしてしばしば販売されている。例として、６個の飲料缶（内容量３５０ｍｌ）を３個ずつ２列に整列させた缶群を、略四角筒状の紙製の包装材で包んだマルチパックについて図１２を参照して説明すると、マルチパック１は、通常は、６個の飲料缶２からなる缶群の上下面及び前後面（前記缶群の長手方向に平行な２つの垂直面）が包装材３により覆われ、左右の側面（前記缶群の長手方向に直交する２つの垂直面）が露出した形態となっている。
【０００３】
このようなマルチパックを店頭に陳列するだけでは、消費者に対するＰＲ効果が少ない。そこで、このマルチパックの販売促進のため、その場で当落がわかる「スピードくじ」を貼付したキャンペーンラベルをマルチパックに取り付けることで、消費者に購買を喚起させる方法がある（例えば、特許文献１。）。
特許文献１は、キャンペーン内容を表示し、スピードくじを設けた長尺な部材のキャンペーンラベル（特許文献１ではＰＯＰ表示材と称している）を使用し、このキャンペーンラベルの長手方向の上部に設けた挿入部を、飲料缶２と包装材３との間の隙間に差し入れて係止させることで、マルチパック１の前面の上部及び側面の上部を覆った状態でキャンペーンラベルを取り付けている。
【０００４】
【特許文献１】
特開平１４−２３６４６３号公報
【０００５】
【発明が解決しようとする課題】
ところで、特許文献１のキャンペーンラベルは、マルチパック１の飲料缶２と包装材３との間の隙間に差し入れて取付けなければならないので、短時間の間に多数のマルチパックにキャンペーンラベルを取り付ける場合には、取付け作業が低下するおそれがある。
【０００６】
また、特許文献１のマルチパック１の前面の上部及び側面の上部を覆っているキャンペーンラベルは、キャンペーン内容を表示している面積が小さいので、消費者に対するＰＲ効果が小さい。
さらに、このキャンペーンラベルは「スピードくじ」を設けているが、キャンペーンラベルを取り付けたマルチパック１を無人の店頭に陳列する場合、いたずらによる「スピードくじ」の当り外れの判別行為を防止する構造が必要である。
【０００７】
そこで、本発明は上記事情に鑑みてなされたもので、多数の商品への取付け作業が容易であり、キャンペーンの告知力が大きくて商品の販売を促進することができるとともに、いたずらによる「くじ」の判別を防止することが可能なキャンペーンラベルを提供することを目的としている。
【０００８】
【課題を解決するための手段】
請求項１記載のキャンペーンラベルは、店頭に陳列した商品に取り付けるキャンペーンラベルであって、一方の面をキャンペーン内容を表示した告知面とし、前記一方の面に対して裏側である他方の面にくじ情報を表示したラベル本体と、前記他方の面に剥離可能に接着しながら前記くじ情報を覆っている重合シートと、この重合シートの剥離が容易となるように前記ラベル本体と前記重合シートの接着部分の縁部に設けた剥離開始部と、粘着剤層上に剥離紙を積層した状態で前記ラベル本体と連結している接着シート部とを備えており、前記剥離紙を取り除き、前記粘着剤層を介して前記接着シート部を前記商品の特定位置に接着することで、前記告知面を表面とし、前記剥離開始部を裏面側に位置させて前記ラベル本体を前記商品に一体化するキャンペーンラベルである。
【０００９】
また、請求項２記載の発明は、請求項１記載のキャンペーンラベルにおいて、前記接着シート部は、前記ラベル本体との境にミシン目等のカットラインを設けて切り取り可能に連結しており、前記重合シートは、前記ラベル本体と一体の部材であって該ラベル本体の縁部から折り返されて前記他方の面に接着されているとともに、折り返しを戻した前記重合シートと前記ラベル本体との外径寸法は、葉書の外径寸法であり、当該重合シート及びラベル本体からなる葉書を、前記くじ情報の結果により応募資格があるときの応募葉書としている。
【００１０】
また、請求項３記載の発明は、請求項１記載のキャンペーンラベルにおいて、前記接着シート部及び前記重合シートは、前記ラベル本体との境にミシン目等のカットラインを設けて切り取り可能に連結しているとともに、前記ラベル本体の外径寸法は、葉書の外径寸法であり、当該ラベル本体を、前記くじ情報の結果により応募資格があるときの応募葉書としている。
【００１１】
さらに、請求項４記載の発明は、請求項１乃至３の何れかに記載のキャンペーンラベルにおいて、前記ラベル本体を配置した前記商品の特定位置に、前記ラベル本体と略同一形状であって当該ラベル本体に覆われたサブラベルを接着しておき、このサブラベルの表面をキャンペーン内容を表示したサブの告知面としている。
【００１２】
【発明の実施の形態】
以下、本発明に係るキャンペーンラベルの実施形態について、図面を参照して説明する。
図１は、商品としてのマルチパック１を示す図であり、６個の飲料缶２は、３個ずつ２列に整列した缶群を形成していて、天板３ａ，底板３ｂ，前面板３ｃ，及び後面板３ｄを有し略四角筒状をなす紙製の包装材３により前記缶群が包装されてマルチパック１をなしている。なお、包装材３は紙製の他、樹脂製等でもよい。
【００１３】
このマルチパック１は、前記缶群の上下面及び前後面（前記缶群の長手方向に平行な２つの垂直面）が包装材３により覆われ、左右の側面（前記缶群の長手方向に直交する２つの垂直面）が包装材３の開口面４から露出した形態となっている。包装材３のうちマルチパック１の下面（底板３ｂ）を除く面、すなわち、上面（天板３ａ）と前後面（前面板３ｃ，後面板ｄ）には、文字やイラスト等からなるＰＯＰ（図示せず）がカラー印刷等により表示されている。そして、このマルチパック１には、飲料缶２が開口面４からマルチパック１の外部に外れないように、飲料缶２を保持する保持部５が設けられている。また、天板３ａのほぼ中心位置には略半円形の穴６が２個設けられていて、該穴６に手指を挿入してマルチパック１を持ち運びできるようになっている。
【００１４】
そして、マルチパック１の前面板３ｃに、第１実施形態のキャンペーンラベル１０が取付けられている。
第１実施形態のキャンペーンラベル１０について、図１から図５を参照して詳細に説明する。
本実施形態のキャンペーンラベル１０は、図１及び図２に示すように、前面板３ｃの略半分の領域を覆っているラベル本体１２と、このラベル本体１２の下端縁部から折り返されてラベル本体１２の裏面に接合されている重合シート１４と、ラベル本体１２の上端縁部に連結している接着シート部１６とを備えている。
【００１５】
ラベル本体１２の表面１２ａは、キャンペーン内容「当たる！！スピードくじ」を表示した告知面とされている（以下、告知面１２ａと称する）。
また、図３（ａ）は、接着シート部１６の構造と、ラベル本体１２の裏側に接合された重合シート１４を示す図であり、重合シート１４の面１４ａには、「スピードくじ」の送り先Ａａが表示されている。
【００１６】
ここで、ラベル本体１２及び重合シート１４は感圧接着材であり、図３（ａ）に示すように、重合シート１４が、接着シート部１６の領域を上部に残した状態でラベル本体１２の裏面の全域を覆うように折り返し、感圧接着で接合されている。即ち、ラベル本体１２及び重合シート１４の重合面には、所定圧で圧着し、且つ再剥離可能な感圧接着剤が塗布されており、重合シート１４がラベル本体１２から容易に剥がれない構造となっている。そして、接着シート部１６に近接した位置である重合シート１４の縁部には、剥離開始部１７を設けており、図３（ｂ）に示すように重合シート１４の剥離が容易な構造となっている。
【００１７】
また、接着シート部１６の基材１６ａには、前述した剥離開始部１７側の面に粘着剤層１６ｂが設けられているとともに、この粘着剤層１６ｂの上部に剥離紙１６ｃが積層されている。
図４は、ラベル本体１２から重合シート１４を剥離し、重合シート１４の折り返しを戻した後、ラベル本体１２及び重合シート１４の重合していた面（以下、重合面と称する）１２ｂ、１４ｂを示したものである。ラベル本体１２の重合面１２ｂには、「当り」、「外れ」のいずれか一方のくじ情報１８が印刷されているとともに、「当り」の際の景品の絵１９が印刷されている。また、重合シート１４の重合面１４ｂには、送り主の情報を記載する送り主欄Ｓａが印刷されている。
【００１８】
また、図５は、前述した重合面１２ｂ、１４ｂの裏側の面を示したものであり、これらの裏側の面は、前述したようにキャンペーン内容「当たる！！スピードくじ」を表示した告知面１２ａと、「スピードくじ」の送り先Ａａを表示した面１４ｂである。
また、図４及び図５に示すように、ラベル本体１２と接着シート部１６との境にはミシン目２０が設けられており、このミシン目２０を利用して接着シート部１６がラベル本体１２から切り取ることが可能となっている。
【００１９】
そして、接着シート部１６を切り取った後のラベル本体１２及び重合シート１４との外径寸法は、葉書の外径寸法に一致している。
上記構造のキャンペーンラベル１０によると、接着シート部１６の剥離紙１６ｃを剥がして粘着剤層１６ｂを露出させ、粘着剤層１６ｂをマルチパック１の前面板３ｃに接触させて接着シート部１６を押し付けるだけで、簡単にマルチパック１に取り付けることができる。したがって、短時間の間に多数のマルチパック１にキャンペーンラベル１０を取り付ける場合であっても、取付け作業の能率化を図ることができる。
【００２０】
また、本実施形態のキャンペーンラベル１０をマルチパック１に取り付けると、告知面１２ａにより「当たる！！スピードくじ」のキャンペーン内容が前面板３ｃ側に大きく表示されるので、消費者に対して告知力が高く、キャンペーンのＰＲ効果が大きくなる。
また、キャンペーンラベル１０をマルチパック１から取り外し、ラベル本体１２から重合シート１４を剥離すると、くじ情報１８の「当り」、「外れ」が直ぐに分かることから、消費者の購買意欲を高めることができ、マルチパック１の販売を促進することができる。
【００２１】
そして、接着シート部１６を切り取った後のラベル本体１２及び重合シート１４は、くじ情報１８が「当り」となったときには応募用の葉書として利用できるので、消費者のキャンペーンの参加率を高めることができる。
さらに、キャンペーンラベル１０をマルチパック１に取り付けているときには、ラベル本体１２の重合面１２ｂに表示しているくじ情報１８は重合シート１４で覆われており、しかも、剥離開始部１７は、キャンペーンラベル１０の裏側（前面板３ｃ側）に位置しているので、キャンペーンラベル１０を取り付けたマルチパック１を無人の店頭に陳列していても、いたずらによるくじ情報１８の判別を行う行為を防止することができる。
【００２２】
次に、第２実施形態のキャンペーンラベルについて、図６から図１１を参照して詳細に説明する。なお、図１から図５で示した構成と同一構成部分には、同一符号を付してその説明を省略する。
本実施形態のキャンペーンラベルは、図６に示すように、包装材３の前面板３ｃの略全域の領域を覆いながら接着されているサブラベル３０と、サブラベル３０より大きな形状としてサブラベル３０全体を覆いながら前面板３ｃに接着されているメインラベル３２とで構成されている。
【００２３】
メインラベル３２は、図６及び図７に示すように、サブラベル３０と略同一形状であり、葉書の縦横寸法の形状となっているラベル本体３４と、このラベル本体３４の下端縁部から折り返されてラベル本体３４の裏面に接合されている重合シート３６と、ラベル本体３４の上端縁部に連結している接着シート部３８とを備えている。
【００２４】
ラベル本体３４の表面３４ａは、図６に示すように、キャンペーン内容「当たる！！スピードくじ」を表示した告知面とされている（以下、告知面３４ａと称する）。
また、前面板３ｃに接着されているサブラベル３０の表面３０ａは、ラベル本体３４の告知面３４ａに表示したキャンペーン内容と異なる内容が表示されている（以下、サブの告知面３０ａと称する）。サブの告知面３０ａの内容としては、例えば、父の日に近い時期にキャンペーンを行う場合には、父親に感謝をするための感謝状が表示されている。
【００２５】
ここで、サブラベル３０の表面３０ａと、メインラベル３２の重合シート３６が設けられている裏側面とは、予め、感圧接着により接合されている。また、サブラベル３０の裏面（前面板３ｃに接着する面）には、予め粘着剤層（図示せず）が設けられている。
図８は、接着シート部３８の構造、ラベル本体３４の裏面３４ｂの構造及び裏面３４ｂ接合された重合シート３６を示す図である。
【００２６】
重合シート３６は、ラベル本体３４の裏面３４ｂの略半分の領域に接合されており、重合シート３６が接合していない裏面３４ｂには、「スピードくじ」の送り先Ａａが表示されている。
ラベル本体３４及び重合シート３６は感圧接着材であり、互いの重合面には、所定圧で圧着し、且つ再剥離可能な感圧接着剤が塗布されており、重合シート３６がラベル本体３４から容易に剥がれない構造となっている。そして、接着シート部３８に近接した位置である重合シート３６の縁部には、剥離開始部４０を設けており、図９に示すように重合シート３６の剥離が容易な構造となっている。
【００２７】
また、図８に示すように、接着シート部３８の基材３８ａには、前述した剥離開始部４０側の面に粘着剤層３８ｂが設けられているとともに、この粘着剤層３８ｂの上部に剥離紙３８ｃが積層されている。
図１０は、ラベル本体３４から重合シート３６を剥離し、重合シート３６の折り返しを戻した状態を示したものである。
【００２８】
ラベル本体３４の裏面３４ｂの重合シート３６に覆われていない領域には、前述したように「スピードくじ」の送り先Ａａが表示されているが、裏面３４ｂの重合シート３６に覆われていた領域には、「当り」、「外れ」のいずれか一方のくじ情報１８と、「当り」の際の景品の絵１９と、送り主の情報を記載する送り主欄Ｓａが印刷されている。
【００２９】
また、ラベル本体３４と接着シート部３８との境にはミシン目４２が設けられているとともに、ラベル本体３４と重合シート３６との境にもミシン目４４が設けられており、これらミシン目４２，４４を利用して接着シート部３８及び重合シート３６がラベル本体１２から切り取ることが可能となっている。
そして、接着シート部３８及び重合シート３６を切り取った後のラベル本体３４の外径寸法は、前述したように葉書の外径寸法となる。
【００３０】
本実施形態のキャンペーンラベルによると、メインラベル３２の接着シート部３８の剥離紙３８ｃを剥がして粘着剤層３８ｂを露出させ、粘着剤層３８ｂをマルチパック１の前面板３ｃに接触させて接着シート部１６を押し付けるだけで、簡単にマルチパック１に取り付けることができる。したがって、短時間の間に多数のマルチパック１に本実施形態のキャンペーンラベルを取り付ける場合であっても、取付け作業の能率化を図ることができる。
【００３１】
また、本実施形態のキャンペーンラベルをマルチパック１に取り付けると、図１１に示すように、メインラベル３２の告知面３４ａによって「当たる！！スピードくじ」のキャンペーン内容が、前面板３ｃの略全域に大きく表示されるので、消費者に対する告知力が増大し、ＰＲ効果をさらに大きくすることができる。
また、メインラベル３２をマルチパック１から取り外し、ラベル本体３４から重合シート３６を剥離すると、くじ情報１８の「当り」、「外れ」が直ぐに分かることから、消費者の購買意欲を高めることができ、マルチパック１の販売を促進することができる。
【００３２】
そして、重合シート３６及び接着シート部３８を切り取った後のラベル本体３４は、くじ情報１８が「当り」となったときには応募用の葉書として利用できるので、消費者のキャンペーンの参加率を高めることができる。
また、メインラベル３２をマルチパック１に取り付けているときには、ラベル本体３４の裏面３４ｂに表示しているくじ情報１８は重合シート３６で覆われており、しかも、剥離開始部４０は、メインラベル３２の裏側、即ちサブラベル３０との間に挟まれているので、本実施形態のキャンペーンラベルを取り付けたマルチパック１を無人の店頭に陳列していても、いたずらによってくじ情報１８の判別を行う行為を防止することができる。
【００３３】
さらに、メインラベル３２をマルチパック１から取り外したとしても、葉書大の大きなサブの告知面３０ａが前面板３ｃに大きく表示されているので、消費者に対する告知力を維持し、キャンペーンのＰＲ効果を大きくすることができる。
なお、第２実施形態のキャンペーンラベルにサブラベル３０を設けた構造として説明したが、第１実施形態のキャンペーンラベル１０の裏側（前面板３ｃとの間）にサブラベルを設けた構造としても、第２実施形態と同様の効果を得ることができる。
【００３４】
また、第１実施形態のラベル本体１２及び重合シート１４の接着構造と、第２実施形態のラベル本体３４及び重合シート３６の接着構造は、感圧接着式を採用したが、重合シート１４，３６をラベル本体１２，３４から容易に剥がすことができ、剥がす作業を行わないときには、確実にくじ情報１８を覆っている構造であれば、他の接着構造を採用してもよい。
さらに、第１、第２実施形態では、マルチパック１に取り付けるキャンペーンラベルについて説明したが、店頭に陳列される他の商品に上記構造のキャンペーンラベルを取り付けても、同様の作用効果を得ることができる。
【００３５】
【発明の効果】
以上説明したように、本発明のキャンペーンラベルによると、接着シート部の剥離紙を取り除いて粘着剤層を露出させ、この粘着剤層を包装材の特定位置に押し付けるだけで、簡単に商品に取り付けることができる。したがって、短時間の間に多数の商品にキャンペーンラベルを取り付ける場合であっても、取付け作業の能率化を図ることができる。
【００３６】
また、キャンペーンラベルを取り付けた商品は、ラベル本体に設けた告知面のキャンペーン内容が大きく表示されるので、消費者に対して告知力が高く、キャンペーンのＰＲ効果を大きくすることができる。
また、キャンペーンラベルを商品から取り外し、ラベル本体から重合シートを剥離すると、ラベル本体に表示しているくじ情報の内容が直ぐに分かることから、消費者の購買意欲を高めることができ、商品の販売を促進することができる。
【００３７】
さらに、キャンペーンラベルを商品に取り付けているときには、ラベル本体に表示しているくじ情報が重合シートで覆われており、しかも、剥離開始部が、キャンペーンラベルの裏側に位置している。したがって、キャンペーンラベルを取り付けた商品を無人の店頭に陳列していても、いたずらによるくじ情報の判別を行う行為を防止することができる。
【図面の簡単な説明】
【図１】本発明に係る第１実施形態のキャンペーンラベルを商品に取り付けた状態を示す斜視図である。
【図２】商品の特定位置に取り付けた第１実施形態のキャンペーンラベルを側面から示した図である。
【図３】第１実施形態のキャンペーンラベルを裏側から示した図である。
【図４】第１実施形態のキャンペーンラベルの重合している部分を開き、他方の面側を示した図である。
【図５】第１実施形態のキャンペーンラベルの重合している部分を開き、一方の面側を示した図である。
【図６】第２実施形態のキャンペーンラベルを構成するサブラベル及びメインラベルが商品に取り付けられる状態を示す斜視図である。
【図７】商品の特定位置に取り付けた第２実施形態のキャンペーンラベルを側面から示した図である。
【図８】第２実施形態のキャンペーンラベルを構成しているメインラベルを裏側から示した図である。
【図９】第２実施形態のメインラベルにおいて重合シートを剥がしている状態を示す図である。
【図１０】第２実施形態のメインラベルにおいて重合している部分を開き、他方の面側を示した図である。
【図１１】第２実施形態のキャンペーンラベルを商品に取り付けた状態を示す斜視図である。
【図１２】商品としてのマルチパックの構造を示す斜視図である。
【符号の説明】
１  マルチパック（商品）
２  飲料缶
３ｃ  前面板
３  包装材
１０  キャンペーンラベル
１２  ラベル本体
１２ａ  告知面
１２ｂ  重合面（ラベル本体の他方の面）
１４  重合シート
１４ｂ  重合面
１６  接着シート部
１６ａ  基材
１６ｂ  粘着剤層
１６ｃ  剥離紙
１７  剥離開始部
１８  くじ情報
１９  景品の絵
２０  ミシン目
３０  サブラベル
３０ａ  告知面（サブの告知面）
３２  メインラベル（キャンペーンラベル）
３４  ラベル本体
３４ａ  告知面
３４ｂ  裏面（ラベル本体の他方の面）
３６  重合シート
３８  接着シート部
３８ａ  基材
３８ｂ  粘着剤層
３８ｃ  剥離紙
４０  剥離開始部
４２，４４  ミシン目
Ａａ  「スピードくじ」の送り先
Ｓａ  送り主欄
【図１】
2004287037.tif 000003
【図２】
2004287037.tif 000004
【図３】
2004287037.tif 000005
【図４】
2004287037.tif 000006
【図５】
2004287037.tif 000007
【図６】
2004287037.tif 000008
【図７】
2004287037.tif 000009
【図８】
2004287037.tif 000010
【図９】
2004287037.tif 000011
【図１０】
2004287037.tif 000012
【図１１】
2004287037.tif 000013
【図１２】
2004287037.tif 000014